(57)【要約】      （修正有）【課題】湿式消臭装置として、蓋付き設備・装置の回動可能な蓋部材の適用を可能にし、この場合、蓋部材の回動位置に拘らず消臭機能が発揮できるようにする。【解決手段】蓋体2により施蓋された有底容器基体１の内部に消臭液を充填した容器と、一端を前記容器内の消臭液に部分的に浸漬し、他端を容器外に曝して容器表面に膜材貼着手段８により貼着し、途中を蓋体２の挿通口に挿通し、クランプ材５及びクランプボルト６により容器に取着される吸湿性膜材４とを具え、前記容器一方の外表面に沿って展設される吸湿性膜材の他端を止着する吸湿性膜材貼着手段８と、容器の他方の外表面に貼着される消臭器取付け手段９ａ、９ｂを備える。【選択図】図２
0003119125.tif 000002
【実用新案登録請求の範囲】
【請求項１】
開口部を有する有底容器基体１と挿通口を有し前記開口部を覆う蓋体２とからなり、その内部に消臭液を充填する容器と、一端を前記容器内の消臭液に浸漬可能に蓋体２の挿通口を介して挿通し、他端を吸湿された消臭液発散可能に容器の表面に取着される吸湿性膜材４とを備え、吸湿性膜材中間部を容器外に曝される蓋体２表面においてクランプ手段により取着し、吸湿性膜材の他端を容器の一方の外表面に沿って展設する箇所において吸湿性膜材貼着手段８により容器表面に止着し、容器の反対側の外表面面に湿式簡易消臭器取付け手段９により容器を他の装置に貼着可能としたことを特徴とする湿式消臭装置。
【請求項２】
請求項１において、蓋体が相互の突合せによって挿通口を形成する二つ割りの一対の蓋体２，３から構成され、一対の蓋体２，３は、両者の対抗面長手方向に一対形成された溝、突起状のスライド凹凸２ｄ，３ｄにより位置決めされると共に、その位置で互いに摺動離接可能に組み合わされ、挿通口内の吸湿性膜材を挟圧可能としたことを特徴とする湿式消臭装置。
【請求項３】
請求項１又は２において、蓋体に形成される挿通口の縁部にアールが形成されていることを特徴とする湿式消臭装置。
【請求項４】
請求項１ないし３のいずれかにおいて、湿式消臭装置をゴミ収集箱の蓋体の裏面に貼着取り付けたことを特徴とする湿式消臭装置。
【請求項５】
請求項１ないし３のいずれかにおいて、湿式消臭装置を水洗トイレの蓋体の裏面に貼着取り付けたことを特徴とする湿式消臭装置。  
【考案の詳細な説明】
【技術分野】
【０００１】
本考案は消臭装置、特に湿式消臭装置に関するものであり、さらに詳しくは組み立て、保守管理の容易な湿式消臭装置に関するものである。
【背景技術】
【０００２】
従来から、消臭液を充填した容器において容器内の消臭液に一端を浸漬させ、他端を外気に曝した繊維材を介して、この繊維材の毛細管現象に伴う染み込み作用により消臭剤を流動し、染み込み流動しながら揮発させて周囲の環境の外気を消臭する湿式消臭装置はある。しかし、消臭液充填のボトルはねじ結合により容器に取着され、吸い上げ芯は芯支えにより支持されるもので、構造が複雑であり、組立てが容易ではなく、芯を通じた吸い上げ量を十分確保できる考慮はなされていないので、使用上の問題を残すものであった（特許文献１）。
【０００３】
従来から、ゴミ収集箱、水洗トイレなどに適用される消臭装置も存在するが、構造的に複雑であって、高価な装置であり、装置の補修、保守に時間と費用を要するものであった。
不織布を使用した芳香剤用容器が存在するも、容器内に充填されたゲル型芳香剤を容器底部に不織布を貼着し支持するものであり（特許文献２）、本願考案のように、吸い上げ芯材として使用するものではなかった。
また、液体揮散装置として、容器内壁に貼着したシートにより吸い上げ部材を構成する装置が存在する（特許文献３）。しかし、この液体揮散装置は、本願考案のように、吸い上げ量を調節できるものではなく、吸い上げ部材としてのシートを容器に簡単に取付け取外しできるものでもなく、他の装置に簡単に取着できるものでもなかった。
【０００４】
一方、消臭容器の設置環境によって、例えば、消臭の強く望まれる環境か、それほど強くは望まれない環境かにより、すなわち消臭機能要求度の異なる環境に適した消臭容器を使用する場合、環境に合わせて、異なる消臭容器を個別に選択して適用するものであって、単一の消臭容器のみで、消臭剤発散量を調節できる工夫は行なわれていなかった。また、容器からの消臭剤の発散量調節可能であって、かつ、消臭容器自体の取付け取外しを簡単とする消臭装置は存在しなかった。
このため、消臭液充填容器において、吸い上げ芯材の簡単な取り付けにより、所望の消臭機能が確保でき、かつ容器からの消臭剤の発散量調節できることが望まれており、かつ、平坦面での設置使用のみならず、ゴミ収集箱、水洗トイレなどの開閉蓋体に適用可能とし、傾斜状態としても容器から消臭液漏れを生ずることなく、簡単に据付のできる消臭液充填容器を用いた湿式消臭装置が望まれていた。                                                                                                 
【０００５】
これまで、消臭装置において貼着材を備えた装飾パネルは存在する（引用文献４）としても、湿式消臭装置としてではなかった。以上のように、湿式消臭装置として、回動する蓋部材であっても、消臭機能を維持する上で不都合を生じることなく容易に取着できる簡易な湿式消臭装置は存在しなかった。
【０００６】
【特許文献１】特開平８−２５７１０８号公報
【特許文献２】特開２００１−１０４４６４号公報
【特許文献３】特開平１１−２０６４５０号公報
【特許文献４】特開平９−４７４９８号公報
【考案の開示】
【考案が解決しようとする課題】
【０００７】
以上から、本願考案が解決しようとする課題は、容器の消臭液吸い上げ芯材として、所定の幅を有した不織布等の吸湿性膜材を使用することによって、所定の消臭作用を確保することができることであり、容器への不織布等の吸湿性膜材の取付け取外しが簡単で、さらに発散量を簡単に調節可能とすると共に、また、湿式消臭装置として、消臭を必要とする蓋付き設備・装置において、その回動可能な蓋部材であっても、回動する蓋部材に容易に取着することができながら、動作位置に変動に拘らず正常に消臭機能を確保することのできる湿式消臭装置を提供することであり、団地用ごみ収集箱用としてまた、水洗トイレの便器用として、それらの開閉蓋の裏面に簡単に取り付けて使用することのできる湿式消臭装置を提供することである。
【課題を解決するための手段】
【０００８】
本願考案は、上記課題を解決するために、第１には、開口部を有する有底容器基体１と挿通口を有し前記開口部を覆う蓋体２とからなり、その内部に消臭液を充填する容器と、一端を前記容器内の消臭液に浸漬可能に蓋体２の挿通口を介して挿通し、他端を吸湿された消臭液発散可能に容器の表面に取着される吸湿性膜材４とを備え、吸湿性膜材中間部を容器外に曝される蓋体２表面においてクランプ手段により取着し、吸湿性膜材の他端を容器の一方の外表面に沿って展設する箇所において吸湿性膜材貼着手段８により容器表面に止着し、容器の反対側の外表面面に湿式簡易消臭器取付け手段９により容器を他の装置に貼着可能としたことを特徴とする湿式消臭装置（請求項１）を提供する。  
【０００９】
本願考案は、第２には、蓋体が相互の突合せによって挿通口を形成する二つ割りの一対の蓋体２，３から構成され、一対の蓋体２，３は、両者の対抗面長手方向に一対形成された溝、突起状のスライド凹凸２ｄ，３ｄにより位置決めされると共に、その位置で互いに摺動離接可能に組み合わされ、挿通口内の吸湿性膜材を挟圧可能としたことを特徴とする湿式消臭装置（請求項２）を提供する。
【００１０】
本願考案は、第３には、蓋体に形成される挿通口の縁部にアールが形成されていることを特徴とする湿式消臭装置（請求項３）を提供する。
【００１１】
本願考案は、第４には、湿式消臭装置をゴミ収集箱の蓋体の裏面に貼着取り付けた（請求項４）湿式消臭装置や、水洗トイレの蓋体の裏面に貼着取り付けた（請求項５）湿式消臭装置の提供をする。
【００１２】
以上、本願考案によれば、吸湿性膜材４は浸漬した部分から毛細管現象により外部へと吸い出され、外気曝された吸湿性膜材４に染み出し、湿潤状態の吸湿性膜材４表面から消臭液を揮発して外部環境を、環境に合わせて効果的に消臭することができる。
【考案の効果】
【００１３】
（１）本願考案によれば、湿式消臭装置において、容器の消臭液吸い上げ芯材として、所定の幅を有した不織布を使用することによって、消臭液吸い上げによる揮発面を大きくとることができるので、所望の消臭作用を確保することができ、湿式消臭装置として、蓋体の挿通口のアール乃至テーパー付き絞り構造によって、蓋体への不織布の取付け取外しが簡単となるので、湿式消臭装置のメンテナンスが容易である。
（２）また、互いに突合せたとき対向面に挿通口を形成する２つ割の一対の蓋材による場合にも、蓋体の間に不織布等の吸湿性膜材を挟持しながら取り付けることができるので、不織布等の吸湿性膜材の取付け取外しが簡単となる。    この２つ割の一対の蓋材による不織布等の吸湿性膜材の取り付けにおいては、さらに、吸湿性膜材を挟圧加減により、吸湿性膜材を通じた消臭液の発散量の調節も簡単にできる。  
【００１４】
（３）湿式消臭装置において、容器外に曝され容器の表面に沿って展設され吸湿性膜材の他端は、前記容器の対峙する一方の面に貼着する吸湿性膜材貼着手段８により止着され、容器の他方の面に貼着された湿式簡易消臭器取付け手段９により蓋付き設備・装置等の蓋体に容易に取着することができ、例えば、団地用ごみ収集箱用としてまた、水洗トイレの便器用として、それらの開閉蓋の裏面に簡単に取り付けて使用することができ、その場合、消臭を必要とする蓋付き設備・装置において、その回動可能な蓋部材であっても、動作位置に変動に拘らず正常に消臭機能を発揮させることができる。
（４）以上のように、本考案の自動補給型湿式消臭装置によれば、蓋取り付け時の２つ割蓋による吸湿性膜材の装着構造に特徴があり、有底容器の開口部への蓋取り付け時に吸湿性膜材を挟圧加減しながら取り付けられるので、吸湿性膜材を通じた消臭液の発散量の調節が簡単にでき、また、吸湿性膜材の交換・取替え、消臭液の補充作業を容易に行うことができる。
【００１５】
本考案の消臭液は、酸化触媒によって、液状消臭剤と滅菌剤を含んでいるので滅菌効果が高く、バクテリアなどの菌発生を防止することができる。
本願考案の湿式消臭装置によれば、吸湿性膜材の外部に露出して部分は、その端部が吸湿性膜材貼着手段８により、弛まないよう展設されるので、消臭液の吸湿性膜材内浸透が円滑になり、消臭作用が万遍なく行なわれる。
本願考案の湿式消臭装置によれば、容器側面に湿式簡易消臭器取付け手段９ａ，９ｂが貼着してあるので、湿式消臭装置Ｓ自体を、他の消臭装置の必要な箇所、例えば、ゴミ収集箱本体２１や開閉蓋付き水洗便器３０等に容易に取着することができる。
また、容器の側面には透視窓１０を具え、透明の覗き窓が形成され、液目盛が付されているので、容器内に充填された消臭液の過不足を検視することができ、容器内の消臭液が減少した場合には、透視窓の目盛により、容器内消臭液の消費状態を監視することでき、消臭液の補充を効果的に実施することができる。
容器の側縁部に液目盛１０を付した透視窓を具えるので、監視が容易である。
【考案を実施するための最良の形態】
【００１６】
（１）吸湿性膜材４の取り付けにおいて、この吸湿性膜材４は蓋体に形成の細長い開口において絞り込んで挿通されているので、吸湿性膜材４の絞り込まれた部分は圧密状態となっているも、十分毛細管現象による吸い上げ作用を維持することができる。この場合、容器の消臭液吸い上げ芯材として、所定の幅を有した不織布等の吸湿性膜材を使用しているので、消臭液吸い上げによる揮発面を大きくとることができ、また、蓋体の挿通口のアール乃至テーパー付き絞り構造を採用しているので、不織布の幅や開口絞り度の異なる蓋を使用することによっても所望の消臭作用を確保することができ、これによって消臭液の供給量が調節される。
吸湿性膜材４の絞り込まれた部分は圧密状態となって装着されるので、開口が下方となる状態であってもすぐに液漏れが発生することがない。
なお、この場合、容器の上部を蓋体として組立てることもできるが、容器の底部に底蓋として組立てることもでき、任意に選択できることはもちろんである。
（２）蓋体に形成の細長い開口は、単一の蓋体の場合、蓋体の中間に形成される細長い挿通口は、挿通口周縁が丸められアールが付されているので、吸湿性膜材４の挿通案内を円滑にすることができる。
（３）また、２つ割りの蓋体の場合、吸湿性膜材４を蓋体の間に挟持しつつ蓋体を有底容器の開口部に取着することにより挟圧されながら取着することができる。これによって、蓋体への不織布等の吸湿性膜材の取付け取外しが簡単にできるので、不織布等の吸湿性膜材のメンテナンスが簡単となる。
また、その際、吸湿性膜材４の挟圧程度を調節することができるので、毛細管現象による吸い上げ作用が調節される。
【００１７】
（４）また、小型化したときなど、吸湿性膜材４の挟着支持長さ寸法を確保できない場合には、吸湿性膜材４の挟着支持を確実にするため、吸湿性膜材４を挟着する２つ割蓋体２，３の挟着長さ寸法を長くすることができ（図４（ｂ）参照）る。また、この場合、吸湿性膜材挟圧長さを長く採ることによって、消臭液の供給量を調節することも可能となる。
（５）湿式簡易消臭器が水平に位置に配置され得る装置に設置の場合にあっては、水平位置に配置された状態で、容器基体１内に充填された消臭液７が発散し減量され、液位が下がったときにも湿式簡易消臭器内の吸湿性膜材が常に浸漬するように、吸湿性膜材は湿式簡易消臭器の中央ではなく、液側に寄せた位置に装填されることが好ましい。
（６）容器側面に貼着する湿式簡易消臭器取付け手段の数及び設置位置は、図２に上下二箇所に設置した例が示されるが、この図２示す上下二箇所に限らず、一箇所でも良いし、また左右、中央を含めて、二箇所、三箇所等適宜選択することはできる。湿式消臭装置Ｓ自体を、他の消臭装置の必要な箇所、例えば、蓋付きゴミ収集箱本体２１や開閉蓋付き水洗便器３０等に容易に取着することができる。
（７）本考案の消臭液は、酸化触媒によって、液状消臭剤と滅菌剤を含んでいるので滅菌効果が高く、バクテリアなどの菌発生を防止できる。
（８）吸湿性膜材４の材料は、繊維状の不織布又は吸湿性に富んだ含水性紙等、適宜選択して使用することができる。
（９）容器の側縁部には液目盛１０を付した透視窓を具え、容器内消臭液の消費状態を監視により、消臭液の補充を効果的に実施することができる。
【実施例１】
【００１８】
図１は、本考案による、二つ割りの一対の蓋体２，３を具えた湿式簡易消臭器Sの例として、湿式簡易消臭器Sの全体的概要を示す斜視図である。
図１において、湿式簡易消臭器Sは、消臭器の開口部を具えた有底容器基体１と、二つ割りの一対の蓋体２，３とで容器が構成され、一対の蓋体２，３は有底容器基体１の開口部を覆い、有底容器基体１の開口縁にねじ等によって止着される。湿式簡易消臭器Sには、図２、図３に示すように、二つ割りの一対の蓋体２，３の間で対向面に挿通口Ｐが形成され、この挿通口Ｐに吸湿性膜材４が挿通される（二つ割りの一対の蓋体２，３の構造については、図５(a)を参照）。挿通された吸湿性膜材４の外気に曝される部分の途中において、当該吸湿性膜材をクランプ材５及びクランプ材取付け用ボルト６により蓋体３に止着する。図２において蓋体３に止着されるが、クランプ材５及びクランプ材取付け用ボルト６による止着対象は一対の蓋体２，３の一方を選択して止着される。使用に際しては、図２に示すように、容器内には、吸湿性膜材取付け前に予め所定量の消臭液７が充填される。さらに、容器において、その有底容器基体１の対峙する一方の外表面に吸湿性膜材貼着手段８が貼着され、また他方の外表面に湿式簡易消臭器取付け手段９が貼着されている。また、容器の側縁部には目盛付の透視窓10を具えている。吸湿性膜材貼着手段８によって、吸湿性膜材の端部は容器の外面に取着され、また簡易消臭器取付け手段9によって容器は、他の装置等に貼着される。
なお、この図１、２及び図３は、容器の蓋体は二つ割りの一対の蓋体２，３を具えた湿式簡易消臭器Sを示しているが、図４に示すように、蓋体の中央に挿通口Ｐを備えた単一の蓋であってもよい（単一の蓋２の構造については、図５（b）を参照）。吸湿性膜材の取着作業については、単一の蓋２の挿通口に吸湿性膜材を挿通して組立てておいて、有底容器気体１の開口に取着することが前提であるが、その後は、上述の二つ割りの一対の蓋体２，３を具えた湿式簡易消臭器Sの場合と同様である。
また、容器とし容器の底にも底蓋を備えることができる（図示省略）。かかる容器の場合には、吸湿性膜材４の外気に曝される部分の途中において、当該吸湿性膜材をクランプ材５及びクランプ材取付け用ボルト６により蓋体２を、有底容器基体１の開口縁に止着し、この単一の蓋体２、又は二つ割りの一対の蓋体２，３を取着し、その後、挿通口に相通した吸湿性膜材と共に蓋体２，３を取着した容器を転倒し逆さにし、上方に位置させた底蓋を適宜開放して容器内への消臭剤の充填作業を行うこともできる。
また、蓋体３に吸湿性膜材４を止着するクランプ手段として、クランプ材５及びクランプ材取付け用ボルト6からなるものを示したが、これに限定されるものではない。
【００１９】
一対の蓋体２，３には、両者の対抗面においてその幅方向に、吸湿性膜材４を挿通する挿通口を形成するための凹部（図３（a）、図５（a）参照）が備えられ、さらにこれらの凹部の他に、図１に示すように、その凹部の外側にそれぞれ位置して相互にスライド嵌合する一対の凹凸（２ｄ，３ｄ）が形成されている。一対の蓋体２，３は、これらの一対のスライド凹凸２ｄ，３ｄにより相互にずれないように位置決めされ、その位置で互いに摺動離接可能に組み立てられている。また、図3（a）に示すように、容器基体１の開口部には、凸段部１ａが形成され、これに対応して、開口部を覆う２つ割蓋体２，３の接合面には、凹段部２ａ，３ａが形成される。これにより、吸湿性膜材４を挟着した状態で、各分割蓋体の蓋体２，３を、有底容器基体１の開口縁に止着する際に、捩じ込み量に応じて、蓋体２，３の離間距離を縮小することができ、吸湿性膜材４の挟着程度を調節することができる。吸湿性膜材４の挟着状態での、各分割蓋体の蓋体２，３の、有底容器基体１の開口縁への止着構造として、図３（ｂ）に示すようにすることもできる。この場合には、容器基体１の開口部に、凹部傾斜面１ｂが形成され、これに対応して、開口部を覆う２つ割蓋体２，３の各接合面には、凸部傾斜面２ｂ，３ｂが形成される。この場合も、各蓋体２，３を有底容器基体１の開口縁に止着する際、捩じ込み量に応じて、蓋体２，３の離間距離を狭め、吸湿性膜材４の挟着程度を調節することができる。この図３（ｂ）の例においては、一対の蓋体２，３の係るねじ挿通孔2h、3hは、装着時において蓋の移動を可能とするため幅方向の長孔として形成される。
蓋体２，３の止着作業の後、吸湿性膜材４は、一対の蓋体２，３の一方の部材にクランプ材５及びクランプ材取付け用ボルトによって、吸湿性膜材４の抜け出しを確実に防止するため、吸湿性膜材を押圧するようにして取り付けられる。その際、吸湿性膜材４の一端は、容器基体１内に充填された消臭液７に浸漬するように装填され、容器外で外気に曝される吸湿性膜材４は、容器Sの側面に沿って反対方向に折り返され、その他端が、吸湿性膜材貼着手段８により、吸湿性膜材４が弛まないように容器の外表面に張設して取り付けられる。
湿式簡易消臭器Sにおいて、上述した吸湿性膜材４の張設されていない反対側の面の適宜の位置に、湿式簡易消臭器取付け手段９ａ，９ｂが貼着されている。この湿式簡易消臭器取付け手段９ａ，９ｂによって、湿式簡易消臭器Sを他の適宜の部材又は装置に容易に取付け、簡単に使用することが可能となる。
目盛付きの透視窓１０は、容器内に充填された消臭液の過不足を検視するために設けられている。
【００２０】
湿式簡易消臭器の組み立ては、例えば次ぎのとおり実施することができる。図２、図３及び図５を参照して、組立てに際して、先ず、容器基体１の開口部から消臭液を充填する。次いで、一対の蓋体２，３の間に吸湿性膜材４の中間部を挟み、スライド凹凸２ｄ，３ｄにより位置決めした状態で、吸湿性膜材４の一端を容器基体１内の消臭液に浸漬させながら、一対の蓋体２，３を容器基体１の開口部に近づけ施蓋する。施蓋した状態で、一対の蓋体２，３の夫々を容器基体１の開口部にねじ止めにより止着する。
各蓋体２，３の容器開口部へのねじ込みにより、容器基体１の開口部に止着される二つ割蓋体２，３は相互に接近して取り付けられる。その際、吸湿性膜材４は一対の蓋体２，３の間で挟圧調整して支持される。この挟圧支持された吸湿性膜材４は、その容器外の外部に曝される部分を幾分加圧しながらクランプし、締め付け固定する。
吸湿性膜材４を一対の蓋体２，３により容器Ｓに取り付け、クランプにより締め付け固定した後、外部に飛び出している吸湿性膜材４の他端を反転させて、緊張気味に張設し、容器Ｓの一方の側面下端近傍に貼着した貼着手段８により吸湿性膜材の他端部を貼着して取り付ける。
また、容器Ｓの他方の側面にも、適宜の位置に貼着した湿式簡易消臭器取付け手段９ａ，９ｂを貼着する。この湿式簡易消臭器取付け手段９ａ，９ｂにより、湿式簡易消臭器自体を適宜の装置に貼着し取付けて使用することができる。
【００２１】
図６（a）は、ゴミ収集箱に適用した実施形態を示す。詳細には、湿式簡易消臭器Ｓを開閉蓋付きゴミ収集箱に適用する実施形態を示す。
湿式簡易消臭器Ｓは、湿式簡易消臭器取付け手段９ａ，９ｂにより、開閉蓋付ゴミ収集箱２０の蓋の裏側に貼着される。湿式簡易消臭器Ｓ内に充填された消臭液の充填状態は、蓋を閉じるべく回動し、ゴミ収集箱本体２０の開口を施蓋するとき、吸湿性膜材浸漬端部を傾斜下方に保持された状態となり、この状態で、容器内の吸湿性膜材が消臭液の液面に微かに浸漬される程度とされる。また、蓋をゴミ収集箱本体２０の開口から開放すべく持ち上げて回動し、傾動状態に保持した状態（点線位置）では、容器内の吸湿性膜材が消臭液によって十分に浸漬された状態となるように設計されている。この場合、回動動作の蓋の。
開閉によって、蓋に取り付けられた消臭容器において、開蓋に伴い容器内の吸湿性膜材が十分に消臭液中に浸漬される。言い換えれば、蓋の開閉回動に伴って、自動的に吸湿性膜材の消臭液補給が繰り返され、結果的に消臭液が開蓋するたびに確実の補給されることとなるので、吸湿性膜材の消臭機能が効果的に維持される。
したがって、常に、開蓋によって吸湿性膜材に消臭液を十分補給した後で、ゴミ収集箱本体２０の開口を施蓋するので、この施蓋した状態で、消臭作用が効果的に発揮され、ゴミ収集箱内の消臭が有効に実施される。
したがって、後続するゴミ投入のためのゴミ収集箱本体２０の開口使用において、開蓋した際のゴミ収集箱本体２０内部の悪臭からの不快感を解消することができる。
なお、使用に際して悪臭が残る場合には、消臭容器の蓋のねじ止めを緩めることにより、吸湿性膜材の圧着を緩め、毛細管現象の抑制を解除することができるので、これにより臭気機能の強弱を調節することができる。
適用環境により、また季節変化に基づく温度環境の相違によりにより悪臭発生度合いが異なることから、消臭機能の調節構造を採用することによりそれらの課題を解決することができるので好適である。
【実施例２】
【００２２】
図６(b)は、湿式簡易消臭器Ｓを水洗式便器に適用する場合の実施形態を示す。
湿式簡易消臭器Ｓは、消臭器取付け手段９ａ，９ｂにより、開閉蓋付き水洗便器３０の蓋の裏側に貼着される。湿式簡易消臭器Ｓは、便器蓋が便器基台３１の弁座開口を施蓋すべく回動され、水平に保持された状態では、湿式簡易消臭器Ｓ容器内の吸湿性膜材が消臭液の液面に微かに接する位に、消臭液が充填される。また、便器蓋を便器基台３１の弁座開口から開放すべく持ち上げ回動し、垂直後方まで傾動した状態で保持される位置では、湿式簡易消臭器Ｓ容器内の吸湿性膜材が消臭液によって十分に浸漬された状態となる。このように、便器蓋の開閉によって、開蓋状態では、湿式簡易消臭器Ｓ容器内の吸湿性膜材が十分に消臭液が浸漬され、結果的に消臭液が開蓋するたびに補給されることとなるので、吸湿性膜材による消臭機能が効果的に維持される。
したがって、便器を施蓋した状態で、消臭作用が効果的に発揮され、便器内の消臭が有効に行なわれる。
したがって、後続する便器使用において、開蓋した際の便器の悪臭からの不快感を解消することができる。
【００２３】
また、使用に際して悪臭が残る場合には、湿式簡易消臭器Ｓ容器の蓋のねじ止めを緩めることにより、吸湿性膜材の圧着を緩め、毛細管現象の抑制から開放することにより調節し、消臭機能を高めるように調節することができる。
なお、季節により悪臭発生度合いが異なることから、消臭機能の調節構造を採用することが好適である。
本願発明の湿式簡易消臭器は、ゴミ収集容器、水洗トイレに限らず、消臭機能の要求される種々の加工設備、排水・廃液設備等広い応用が可能である。
【図面の簡単な説明】
【００２４】
【図１】クランプ材を外した簡易湿式消臭器の概要を示す斜視図である。
【図２】図１に示す簡易湿式消臭器のＹ−Ｙ線に沿って見た断面図である。
【図３】蓋体を２つ割りの一対の蓋体から構成した場合において、図１Ｘ−Ｘ線に沿った簡易湿式消臭器の蓋取付け状態を概略的に示す断面図であり、（a）は一対の蓋体が２つ割りの凹段部を具えたキャップ構造を有し、両キャップ構造蓋体を側方捩じ込み型とした場合の取り付けを示し、（ｂ）は一対の蓋体が２つ割りの凸部傾斜面構造を有し、凸部傾斜面構造蓋体を頂部捩じ込み型とした場合の取り付けを示す。
【図４】図１に示す簡易湿式消臭器のＸ−Ｘ線に沿って見た蓋体で、（ａ）は一体形の蓋体からなる典型例を示し、（ｂ）は一体形の蓋体における挿通口のアール付き挿通口を有する場合で、蓋材の厚みに変化のない場合の挿通口を含む断面形状を示し、（ｃ）は蓋材の厚みに変化をもたせる場合の同じく挿通口を含む断面形状を示す図である。
【図５】容器蓋体の模式図と共に蓋体挿通口におけるシール構造を示し、（a）は２つ割りの一対の蓋体の場合のシール構造を、（ｂ)は一体型蓋体の場合のシール構造をそれぞれ示す。
【図６】本願考案簡易湿式消臭器の実際の適用例を示すもので、（a）ゴミ収集箱に適用した実施形態を示す応用例であり、（b）は水洗便器に適用した実施形態を示す応用例である。
【符号の説明】
【００２５】
Ｓ  湿式簡易消臭器
１  消臭器の容器基体  
１ａ  凸段部
１ｂ  凹部傾斜面
２，３  二つ割蓋体
２ａ，３ａ  凹段部
２ｂ，３ｂ  凸部傾斜面
２ｄ，３ｄ  スライド凹凸
４  吸湿性膜材
５  クランプ材
６  クランプボルト
７  消臭液
８  膜材貼着手段
９ａ，９ｂ  消臭器取付け手段
１０  透視窓
２０  開閉蓋付きゴミ収集箱
２１  ゴミ収集箱本体
２２  開閉蓋
２３  取手
３０  開閉蓋付き水洗便器
３１  便器基台
３２  便器蓋体
３３  給水管
【図１】
0003119125.tif 000003
【図２】
0003119125.tif 000004
【図３】
0003119125.tif 000005
【図４】
0003119125.tif 000006
【図５】
0003119125.tif 000007
【図６】
0003119125.tif 000008